(57)【特許請求の範囲】
【請求項１】
スクリュ回転数の初期値とスクリュ背圧を設定して、事前にスクリュ後退特性計測モードにてスクリュ移動距離及びスクリュ移動時間を計測するとともにこれら計測結果からスクリュ移動速度を算出しておき、自動運転時には、冷却時間を設定値とした冷却時間設定値と、前記スクリュ移動距離、前記スクリュ移動時間及び前記スクリュ移動速度からなるスクリュ後退特性とに基づき、樹脂計量時のスクリュ回転数設定値を自動算出、設定することを特徴とする射出成形機の条件設定方法。
【請求項２】
前記スクリュ後退特性計測モードでの前記スクリュ回転数と前記スクリュ移動速度と成形条件の前記冷却時間設定値と前記スクリュ移動距離とにより、自動運転時の樹脂計量時のスクリュ回転数設定値を次式１により自動算出することを特徴とする請求項１記載の射出成形機の条件設定方法。
【数１】
算出スクリュ回転数＝計測モードスクリュ回転数×（スクリュ移動距離／計測モードスクリュ移動速度）／冷却時間
【請求項３】
前記数式の冷却時間設定値から冷却工程中に行われる樹脂計量以外の動作時間を差し引いて、樹脂計量を行うためのスクリュ回転数を算出することを特徴とする請求項２記載の射出成形機の条件設定方法。
【発明の詳細な説明】
【０００１】
【発明の属する技術分野】
本発明は、射出成形機の条件設定方法に関し、詳しくは、射出成形機の樹脂計量工程でのスクリュ回転数設定値の設定方法に関するものである。
【０００２】
【従来の技術】
従来の条件設定方法では、樹脂計量工程のスクリュ回転数設定値は冷却時間に関係なく設定されていた。
【０００３】
【発明が解決しようとする課題】
上記スクリュ回転数設定値は、樹脂計量工程でスクリュを何回転で回すかということを設定するものである。しかしながら、スクリュ回転数設定値は、設定値によっては金型内の成形品の冷却時間に影響を与えることになる。例えば、冷却時間を５ｓｅｃと設定していても、スクリュ回転数設定値が、実質的に樹脂計量工程が５ｓｅｃ以上かかってしまう様な値に設定された時には、冷却工程が長くなったことになり、その時には、冷却時間設定自体が無意味なものとなる。
【０００４】
成形条件を出す過程においては、オペレータは冷却時間の設定を行うと同時に、樹脂計量工程のスクリュ回転数を設定しなければならない。この作業は、成形条件を出すというよりはむしろ、ただ単にスクリュ回転数を加減して、冷却工程と、樹脂計量工程のバランス取りをしているだけの作業である。
【０００５】
本発明は、樹脂計量工程を冷却時間設定値内で終了させるためのスクリュ回転数設定値を自動算出して設定する射出成形機の条件設定方法を提供することを課題とする。
【０００６】
【課題を解決するための手段】
本発明は、上記課題を次のようにして解決した。すわなち、スクリュ回転数の初期値とスクリュ背圧を設定して、事前にスクリュ後退特性計測モードにてスクリュ移動距離及びスクリュ移動時間を計測するとともにこれら計測結果からスクリュ移動速度を算出しておき、自動運転時には、冷却時間を設定値とした冷却時間設定値と、スクリュ移動距離、スクリュ移動時間及びスクリュ移動速度からなるスクリュ後退特性とに基づき、樹脂計量時のスクリュ回転数設定値を自動算出、設定する。
【０００７】
式、計測スクリュ回転数＝計測モードスクリュ回転数×（スクリュ移動距離／計測モードスクリュ移動速度）／冷却時間
【０００８】
【発明の実施の形態】
本発明の実施の形態を実施例に基づき図面を参照して説明する。
【０００９】
図１は、本発明による射出成形機の条件設定方法を示すフローチャートであり、図２は、本発明による条件設定方法のスクリュ後退特性計測モードを示すフローチャートである。
【００１０】
まず、図２を参照してスクリュ後退特性計測モードについて説明する。
【００１１】
スクリュ後退特性計測モードでは、まず、スクリュ背圧をユーザ設定値とし、スクリュ回転数を初期値とする（ステップＳ４１）。また、樹脂計量工程開始前のスクリュ位置を事前に記憶しておく（ステップＳ４２）。樹脂計量工程を開始し、樹脂計量工程中のスクリュ移動時間の計測を開始する（ステップＳ４３）。樹脂計量工程が完了した時のスクリュ位置を計測し、スクリュ移動時間の計測を終了する（ステップＳ４４）。樹脂計量工程完了位置より樹脂計量工程開始前のスクリュ位置を差し引くことでスクリュ移動距離を算出し、このスクリュ移動距離とスクリュ移動時間より、スクリュ後退特性計量モードでのスクリュ背圧の設定値とスクリュ回転数の初期値に対するスクリュ移動速度（スクリュ後退速度）を算出し（ステップＳ４５）、上記スクリュ後退特性計量モードのスクリュ回転数、スクリュ移動速度を記憶する（ステップＳ４６）。
【００１２】
次に、自動運転時のスクリュ回転数設定値の自動演算について説明する。
【００１３】
上記スクリュ後退特性計測モードのスクリュ回転数とスクリュ移動速度と、成形条件の冷却時間設定値とスクリュ移動距離により、冷却時間中に樹脂計量工程完了位置まで樹脂計量できるスクリュ回転数設定値を、数式２により算出する。
【００１４】
【数２】
算出スクリュ回転数＝計測モードスクリュ回転数×（スクリュ移動距離／計測モードスクリュ移動速度）／冷却時間
また、数式３に示すように、冷却工程中に行われる樹脂計量以外の工程（サックバック動作）の時間と樹脂計量時間の余裕時間を想定し、冷却時間設定値よりさらに差し引いてスクリュ回転数設定値を自動算出することで、冷却時間設定値内で樹脂計量工程を含む他の動作も終了することができる。
【００１５】
【数３】
算出スクリュ回転数＝計測スクリュ回転数×（スクリュ移動距離／計測スクリュ移動速度）／（冷却時間−樹脂計量以外の動作時間）
次に、図１を参照して本発明による射出成形機の条件設定方法について説明する。
【００１６】
同図において、樹脂計量工程が開始すると、まず、スクリュ後退特性が測定されているか否かを判断する（ステップＳ１）。測定されている場合は、スクリュ背圧設定値が変わっているか否かを判断する（ステップＳ２）。変わっていない場合は、スクリュ後退特性モードで得られているスクリュ移動速度を用いて、上記数式２または数式３によりスクリュ回転数を算出し、算出したスクリュ回転数で樹脂計量を行う（ステップＳ３）。
【００１７】
ステップＳ１においてスクリュ後退特性が測定されていない場合、またはステップＳ２においてスクリュ背圧設定値が変わっている場合、すなわち、これから成形しようとする時または途中でスクリュ背圧設定値が変えられた場合は、予め設定しておいたスクリュ回転数でスクリュを回転させて樹脂計量を始め、上記スクリュ後退特性計測モードで樹脂計量を行う。これにより、その条件下（樹脂、温度状態、スクリュ背圧設定状態）における、スクリュ後退特性計測モードのスクリュ回転数でのスクリュ移動速度を算出する（ステップＳ４）。
【００１８】
上記実施例では、ステップＳ４５に示すように、樹脂計量工程が完了した時のスクリュ移動距離とスクリュ移動時間よりスクリュ移動速度を求めているが、樹脂計量工程を途中中断した時のスクリュ移動距離とスクリュ移動時間により、スクリュ移動速度を求めてもよい。
【００１９】
【発明の効果】
本発明は、以上説明したように構成されているので、自動運転時の樹脂計量工程でのスクリュ回転数設定値は、スクリュ後退特性計測モードのスクリュ後退特性を参考とする値が自動算出される。このスクリュ回転数設定値で樹脂計量工程を動作させることで、冷却時間内で樹脂計量工程を終わらすことができる。これにより、オペレータは成形条件出し作業時に冷却時間の設定変更をする毎に生じるスクリュ回転数の加減調整という作業から開放される。
【図面の簡単な説明】
【図１】本発明による射出成形機の条件設定方法を示すフローチャートである。
【図２】本発明による条件設定方法のスクリュ後退特性計測モードを示すフローチャートである。
【図１】
0004036547.tif 000002
【図２】
0004036547.tif 000003